(57)【特許請求の範囲】
【請求項１】
待機位置と作業位置との間で主軸（Ａ）に沿って運動可能な作動部材（２００、３００、４００）と、
前記作動部材による力により前記主軸と実質的に平行な方向に応力が加えられるばね（２０５、３０５、４０５）と、
前記作動部材（２００、３００、４００）により作動されるように配置されたプランジャ（５０２）と、前記プランジャに作用が生じた場合に受信器モジュールにメッセージを送信するためのアンテナ（５０３）が設けられたワイヤレス送信器モジュールと、を有するスイッチングアセンブリ（５０）と、
を備えるワイヤレス・スイッチング装置であって、
前記アンテナ（５０３）は、前記スイッチングアセンブリ（５０）に、突き出して配置されており、
前記作動部材は、前記アンテナ（５０３）が内側に収納されている中空の軸上内部空間（２０１、３０１、４０１）を形成する部品を備える、
ことを特徴とするワイヤレス・スイッチング装置。
【請求項２】
前記ばね（２０５、３０５、４０５）は、前記作動部材（２００、３００、４００）と同軸上に配置されている、ことを特徴とする請求項１に記載の装置。
【請求項３】
前記ばね（２０５）は、前記内部空間（２０１）を形成する前記作動部材（２００）の前記部品の外側に配置されている、ことを特徴とする請求項２に記載の装置。
【請求項４】
前記作動部材（２００）を有する制御アセンブリと、前記制御アセンブリに固定されており、前記スイッチングアセンブリ（５０）を収容するように意図された締結ベース（２０４）と、を備えることを特徴とする請求項３に記載の装置。
【請求項５】
前記制御アセンブリは、前記作動部材（２００）が内部で並進駆動される本体（２０２）を備え、前記ばね（２０５）は、一方で前記本体（２０２）を支持し、他方で前記作動部材（２００）を支持するように配置されている、ことを特徴とする請求項４に記載の装置。
【請求項６】
前記装置は、壁に設けられた開口を通して組み立てられ、前記制御アセンブリと前記スイッチングアセンブリは、前記壁のいずれかの側に組み立てられ、前記アンテナ（５０３）は、前記壁により形成された面を通過するように配置されている、ことを特徴とする請求項４又は５に記載の装置。
【請求項７】
前記ばね（３０５）は、前記内部空間（３０１）を形成する前記作動部材（３００）の前記部品の内側に配置されている、ことを特徴とする請求項２に記載の装置。
【請求項８】
前記作動部材（３００）と前記スイッチングアセンブリ（５０）とを取り囲む、密閉されたハウジング（３０２）を備える、ことを特徴とする請求項７に記載の装置。
【請求項９】
前記ばね（３０５）は、一方で前記スイッチングアセンブリ（５０）を支持し、他方で前記作動部材（３００）を支持する、ことを特徴とする請求項７又は８に記載の装置。
【請求項１０】
前記ばね（４０５）は、前記内部空間（４０１）を形成する前記作動部材（４００）の前記部品の外側に配置されている、ことを特徴とする請求項２に記載の装置。
【請求項１１】
前記作動部材（４００）と前記スイッチングアセンブリ（５０）とを取り囲む、密閉されたハウジング（４０２）を備える、ことを特徴とする請求項１０に記載の装置。
【請求項１２】
前記スイッチングアセンブリ（５０）は、前記ハウジング（４０２）と共に前記作動部材（４００）に対し相対的に滑り移動可能なように、前記ハウジング（４０２）内に配置されている、ことを特徴とする請求項１１に記載の装置。
【請求項１３】
前記スイッチングアセンブリ（５０）は、ハウジング（５００）を備え、前記ハウジング（５００）は、前記プランジャ（５０２）と協働するのに適した電気エネルギー発電機（１）を取り囲んでおり、前記電気エネルギー発電機（１）は、前記プランジャにより加えられた機械エネルギーを、前記ワイヤレス送信器モジュールに給電するための電気エネルギーに変換するために使用される、ことを特徴とする請求項１から１２のいずれか１項に記載の装置。
【請求項１４】
前記電気エネルギー発電機（１）は、電磁型であり、前記電気エネルギー発電機（１）は、固定部品及び移動部品（１０）が設けられた磁気回路と、前記磁気回路が中を通る電磁コイル（１１）とを備える、ことを特徴とする請求項１３に記載の装置。
【発明の詳細な説明】
【技術分野】
【０００１】
本発明は、ワイヤレス・スイッチング装置に関し、より具体的には、例えば押しボタン型又はリミットスイッチ型のワイヤレス・スイッチング装置に関する。
【背景技術】
【０００２】
押しボタンでは、スイッチングは、直接的な人の動作（action）により引き起こされるが、リミットスイッチでは、スイッチングは、原則として、例えばドアの動きやケーブルの引っ張りのような外部機械作用（external mechanical action）に起因する。
【０００３】
すべての技術分野におけるワイヤレス技術の進展は、特に、産業用ボタン製造の分野やリミットスイッチの分野において、新しい制約の出現をもたらした。この種のスイッチング装置において、ワイヤレス通信モジュールは、小さくない空間を占める。理由は、ワイヤレス通信モジュールは、電子カードや、アンテナや、エネルギー源（このエネルギー源はおそらく、バッテリ、又は機械エネルギーを電気エネルギーに変換するのに適した電気エネルギー発電機である）を備えているからである。ここで特に、ユーザが、自分の現在の有線バージョンのスイッチング装置を、ワイヤレス技術により動作する新しいスイッチング装置と交換できるようにするために、小型化の要件を観察する必要がある。
【０００４】
欧州特許第１６２５９８４号公報は、スイッチング装置を開示している。このスイッチング装置は、アクチュエータと、アンテナが設けられたリーダとを備えており、このアクチュエータは、リーダの範囲内に位置する中継器により送信されたコードが、記憶されているコードに一致する場合に、制御される。
【０００５】
仏国特許出願公開第２８２６１６０号公報、米国特許出願公開第２００２／１９０６１０号公報及び欧州特許出願公開第１６０７９９３号公報は、ワイヤレス・スイッチング装置を開示している。
【先行技術文献】
【特許文献】
【０００６】
【特許文献１】欧州特許第１６２５９８４号公報
【特許文献２】仏国特許出願公開第２８２６１６０号公報
【特許文献３】米国特許出願公開第２００２／１９０６１０号公報
【特許文献４】欧州特許出願公開第１６０７９９３号公報
【発明の概要】
【発明が解決しようとする課題】
【０００７】
したがって、本発明の目的は、信頼性があり、かつ、格段に（particularly）小型のアーキテクチャを有する、ワイヤレス・スイッチング装置を提案することである。
【課題を解決するための手段】
【０００８】
この目的は、
−  待機位置（idle positon）と作業位置（working position）との間で主軸（main axis）に沿って運動可能な作動部材（actuating member）と、
−  前記作動部材による力により前記主軸と実質的に平行な方向に応力が加えられるばねと、
−  前記作動部材により作動されるように配置されたプランジャ（plunger）と、前記プランジャに作用が生じた場合に受信器モジュールにメッセージを送信するためのアンテナが設けられたワイヤレス送信器モジュールと、を有するスイッチングアセンブリと、
を備えるワイヤレス・スイッチング装置であって、
−  前記アンテナは、前記スイッチングアセンブリに、突き出して（prominently）配置されており、
−  前記作動部材は、前記アンテナが内側に収納されている中空（hollow）の軸上内部空間（axial internal space）を形成する部品（part）を備える、
ワイヤレス・スイッチング装置を用いて達成される。
【０００９】
本発明の装置の特有の特徴によれば、前記ばねは、前記作動部材と同軸上（coaxially）に配置されている。
【００１０】
押しボタン型スイッチング装置では、前記ばねは、前記内部空間を形成する前記作動部材の前記部品の外側に配置されている。押しボタン型のスイッチング装置は、前記作動部材が設けられている制御アセンブリと、前記制御アセンブリに締結（fasten）されており、前記スイッチングアセンブリを収容するように意図された締結ベースとを備える。前記制御アセンブリは本体を備え、前記本体内において、前記作動部材は、並進（translation）駆動され、前記ばねは、一方で前記本体を支持（bear）し、他方で前記作動部材を支持するように配置されている。
【００１１】
典型的には、押しボタン型のスイッチング装置は、壁に設けられた開口を通して組み立てられ（assemble）、前記制御アセンブリと前記スイッチングアセンブリは、前記壁のいずれかの側（side）に組み立てられ、前記アンテナは、前記壁により形成された面（plane）を通過し、前記壁の一方側又はもう一方側に延在（extend）するように配置されている。
【００１２】
リミットスイッチ型のスイッチング装置では、前記ばねは、前記内部空間を形成する前記作動部材の前記部品の内側に配置されている。この装置は、前記作動部材と前記スイッチングアセンブリとを取り囲む（enclose）、密閉されたハウジング（sealed housing）を備える。優先的には、前記ばねは、一方で前記スイッチングアセンブリを支持し、他方で前記作動部材を支持する。
【００１３】
リミットスイッチ型のスイッチング装置では、前記ばねは、前記内部空間を形成する前記作動部材の前記部品の外側に配置することが可能である。このスイッチング装置はさらに、前記作動部材と前記スイッチングアセンブリとを取り囲む、密閉されたハウジングを備える。この構成では、前記スイッチングアセンブリは例えば、前記ハウジングと共に前記作動部材に対し相対的に滑り移動（slide）可能なように、前記ハウジング内に配置されている。
【００１４】
本発明によれば、前記スイッチングアセンブリは、単一部品（single piece）からなり、ハウジングを備えている。前記ハウジングは、前記プランジャと協働（cooperate）するのに適した電気エネルギー発電機（generator of electrical energy）を取り囲んでおり、前記電気エネルギー発電機は、前記プランジャにより加えられた機械エネルギーを、前記ワイヤレス送信器モジュールに給電するための電気エネルギーに変換するために使用される。例えば、前記電気エネルギー発電機は、電磁型であり、前記電気エネルギー発電機は、固定部品（fixed part）及び移動部品（mobile part）が設けられた磁気回路と、前記磁気回路が中を通る電磁コイルとを備えている。
【００１５】
その他の特徴及び利点は、一例として与えられ且つ添付図面により表された実施形態を参照することにより以下の詳細な説明から明らかにになる。
【図面の簡単な説明】
【００１６】
【図１】本発明による押しボタン型のスイッチング装置を表す図である。
【図２】図１のスイッチング装置を表す部分断面図である。
【図３】本発明によるリミットスイッチ型のスイッチング装置を表す分解図である。
【図４】図３のスイッチング装置を表す軸方向縦断面図である。
【図５】本発明によるリミットスイッチ型のスイッチング装置を表す分解図である。
【図６】図５のスイッチング装置を表す軸方向縦断面図である。
【図７】図５のスイッチング装置を表す軸方向縦断面図である。
【図８】本発明のスイッチング装置に用いられるスイッチングアセンブリを表す図である。
【図９】図８に示すスイッチングアセンブリを表す断面図である。
【図１０】図８及び図９に示すスイッチングアセンブリを表す分解図である。
【図１１】本発明で採用するエネルギー発電機を表す分解図である。
【図１２Ａ】図１１に示すエネルギー発電機の１つの動作位置を示す図である。
【図１２Ｂ】図１１に示すエネルギー発電機の１つの動作位置を示す図である。
【発明を実施するための形態】
【００１７】
本発明は例えば、図１及び図２に表されるような押しボタン型のスイッチング装置２０、又は図３から図７に表されるようなリミットスイッチ型のスイッチング装置３０、４０に関する。図３から図７において、２種類のリミットスイッチは、一方が回動レバー（pivoting lever）により作動され（図３及び図４）、もう一方が軸方向動作（axial operation）を用いる（図５から図７）、ことで区別することができる。
【００１８】
本発明のスイッチング装置は、ワイヤレス通信ネットワークを介してメッセージを遠隔受信器モジュール（remote receiver module）に送信できるよう、ワイヤレス通信を含む特有の特徴を有している。スイッチング装置のすべての実施形態において、スイッチング装置は、作動部材２００、３００、４００を有し、作動部材の動作は、遠隔受信器モジュールにメッセージを送信するために設けられたスイッチングアセンブリ５０を作動するため使用される。
【００１９】
押しボタン型のスイッチング装置２０では、作動部材を備える制御アセンブリは、例えば、スイッチングアセンブリ５０から分離することができる。リミットスイッチ型のスイッチング装置では、制御アセンブリとスイッチングアセンブリ５０は例えば、１つの同じ主ハウジングの内側で結合される。
【００２０】
図８から図１０を参照すると、装置のスイッチングアセンブリ５０は、ワイヤレス送信器モジュールと、ワイヤレス送信器モジュールに給電するためのエネルギー源とが設けられた少なくとも１個の電子ユニット５０１を取り囲む、例えば、３部品のハウジング５００を備える。このエネルギー源は、バッテリ、ボタン電池、又は、機械エネルギーを電気エネルギーに変換する電気エネルギーの発電機１でもよい。優先的には、スイッチングアセンブリ５０は、このような電気エネルギーの発電機を備えるので、ワイヤレス・スイッチング装置は、完全に自立型（independent）にすることが可能である。以下の説明では、さらに具体的に、そのような電気エネルギーの発電機１が設けられたスイッチングアセンブリ５０を重点的に取り扱う。
【００２１】
本発明によれば、ハウジング５００内に収納された電気エネルギーの発電機１は、例えば、電磁誘導型、又は、圧電型であり、したがって、電子ユニット５０１に給電するため機械エネルギーを電気エネルギーに変換するため使用できる。本発明の装置では、機械エネルギーは、スイッチング装置の作動部材２００、３００、４００と協働するプランジャ５０２の運動により加えられる。
【００２２】
電磁誘導エネルギー発電機１は、図１１に表されている。発電機は、励磁コイル（excitation coil）１１を通過する磁束を外部機械作用により変化させることにより励磁コイル１１内に電流を発生する。
【００２３】
図１１を参照すると、発電機１は、特に、上記励磁コイル１１と、磁界が内部を通る磁気回路とを備え、上記磁気回路は、固定部品と移動部品１０とにより形成されている。
【００２４】
磁気回路内の磁束は、固定部品と相対的な移動部品１０の瞬時角位置（instantaneous angular position）により定義されるので、固定部品と相対的な移動部品１０の運動は、コイル１１を通る磁束の変化を作り出し、この磁束の変化がコイル１１に電流を生じさせる。磁束の変化によりコイル１１の端子に作り出された電圧は、時間に、したがって、固定部品と相対的な移動部品１０の移動の速度に依存する。
【００２５】
励磁コイル１１は、絶縁材料で形成され、ｎ回巻の導電性ワイヤの巻線１１１が巻き付けられている電機子（armature）１１０を備える。電機子１１０は、縦軸に沿って形成された中央開口を有し、この中央開口の寸法は、磁気回路がある程度の回数に亘って中を通過できるように設計される。図１１では、磁気回路の固定部品は、コイル１１の中央開口を２回通過して、ループを形成する。磁気回路は、したがって、１回目にコイル１１の中央開口を通過し、次に、コイル１１の周りを進んでループを形成し、そして、２回目にコイル１１の中央開口を通過する。
【００２６】
磁気回路の移動部品１０は、例えば、Ｈ字形であり、このＨ字形は、例えば、強磁性体の２つの平行な層１０１ａ、１０１ｂの間に保持された永久磁石１００と、上層１０１ａと、下層１０１ｂとで構成される。この移動部品１０は、電機子１１０の中央開口の縦軸に垂直である水平回転軸を中心に回転するように搭載される。ばね１０２は、移動部品１０が作動後にこの移動部品の初期位置へ戻ることを可能にするため配置されている。
【００２７】
磁気回路の固定部品は、強磁性体のような強透磁率をもつ材料で作られる。図１１を参照すると、固定部品は、励磁コイル１１を挟むＵ字形ベース１２０を備える。磁気回路の固定部品は、区別可能であり、分離し、かつ、同一でない第１のアーム１２１と第２のアーム１２２とをさらに備え、一方のアームは、もう一方のアームの鏡像である。第１のアーム１２１は、ベース１２０の第１の端部に連結され、第２のアーム１２２は、ベース１２０の第２の端部に連結される。これら２本のアーム１２１、１２２は、Ｌ字形であり、コイル１１の中央開口の縦軸に平行である２つの面に沿って電機子１１０の中央開口を別々に通過する。個々のアーム１２１、１２２の第２の端部は、移動部品１０の永久磁石１００のいずれかの側で、かつ、移動部分１０の２つの強磁性層１０１ａ、１０１ｂの間に位置合わせされる。個々のアーム１２１、１２２は、移動部品１０のための当接部（abutment）を形成し、２個の対向する支持ランド部、すなわち、上支持ランド部と下支持ランド部とを画定する。移動部品１０は、個々のアーム１２１、１２２により形成された当接部の間に回転自由度を有する。
【００２８】
ベース１２０は、コイル１１のいずれかの側に位置合わせされるように配置されるので、アーム１２１、１２２の中を通る磁界は、いつでも同じ方向にコイル１１の中央開口を通過する。その結果、磁界は、励磁コイル１１の中央開口を同じ方向に２回通過する。
【００２９】
図１２Ａ及び図１２Ｂを参照すると、移動部品１０は、この移動部品の軸周りにシーソー運動を実行し、そして、当接部により画定された２個の別個の端位置を想定することができ、個々の端位置において移動部品１０が磁力により維持されることが分かる。移動部品１０がこの移動部品の端位置の一方から解放され、中央平衡位置を超えて動かされるとき、この移動部品は、磁気効果によりもう一方の端位置へ直ちに引き付けられる。この現象は、特に、従来の特許出願である英国特許出願公開第１３１２９２７号に記載されている。
【００３０】
本発明によれば、エネルギー発電機１は、ハウジング５００に収納され、作動部材により並進作動可能である移動プランジャ５０２を介して作動部材２００、３００、４００と機械的に協働する。このプランジャ５０２は、ハウジング５００に収納され、作動部材の２つの位置の間の運動を発電機１の移動部品１０の２つの位置の間の運動に変換する。
【００３１】
発電機１の移動部品１０の第１の位置から第２の位置までの並進は、電子ユニット５０１により下流で使用することができる第１の電圧の形式である第１の量のエネルギーを発生させる。電子ユニット５０１の中に組み込まれたエレクトロニクスに依存して、発電機１の移動部品１０の第２の位置から第１の位置までの移動の直後に、第２の電圧の形式で第２の量のエネルギーを発生させることが同様に可能である。発電機１の移動部品１０の往復運動中に発生された第１の量のエネルギー及び第２の量のエネルギーは、別個のメッセージを送信するため電子ユニット５０１により個々に用いることができる。発電機１の移動部品１０が往復運動を実行するとき、発生された２つの電圧は、実際には、第１の電圧が、例えば、正であり、第２の電圧が負である反対符号を有し、これは、電子ユニットが、作動部材２００、３００、４００が押し下げられているか、又は、解除されているかを区別し、個々の動作に対して２個の異なるメッセージを送信することを可能にする。往復運動の往路部分の間に、発電機の移動部品１０は、作動部材への圧力により動かされ、復路部分の間に、移動部品１０は、ばね１０２の作用の下でこの移動部品の初期位置へ戻る。
【００３２】
作動部材２００、３００、４００は、主軸（Ａ）に沿って移動させられ、２個の別個の位置、すなわち、例えば、螺旋型の戻りばね２０５、３０５、４０５が解放される待機位置と、戻りばねが圧縮される作業位置とをとることができる。作動部材の待機位置は、例えば、エネルギー発電機１の移動部品の第１の位置に対応し、作業位置は、エネルギー発電機１の移動部品の第２の位置に対応する。
【００３３】
さらに、電子ユニット５０１は、発電機１により発生された電気エネルギーを蓄積する装置を備え、ワイヤレス送信器モジュールは、アンテナ５０３を含む。ワイヤレス送信器モジュールは、例えば、無線周波数型であり、発電機１により生成された電流によりエネルギー蓄積装置を介して給電される。アンテナ５０３を使用して、ワイヤレス送信器モジュールは、メッセージを受信することを可能にさせる対応するアンテナを含む遠隔受信器モジュール（図示せず）へメッセージを送信することができる。ワイヤレス送信器モジュールと受信器モジュールとの間で使用される無線通信プロトコルは、例えば、ＺＩＧＢＥＥということになる。変形実施形態では、送信器モジュールは、赤外線型でもよい。メッセージは、複数の同一の連続フレームを備えることがあり、特に、受信器モジュールが作動された装置を識別することを可能にさせるスイッチング装置の固有識別子を備えることがある。受信器モジュールは、例えば、この受信器モジュールがペアにされたすべての装置と、これらの装置のそれぞれの状態とを一覧にするテーブルを含むことになる。
【００３４】
本発明によれば、スイッチングアセンブリ５０のハウジング５００は、このハウジングに細長い突起（elongate prominence）５０４を形成する窪み（recess）を含み、この突起の中にアンテナ５０３が収納される。図４及び図６に表されるように、アンテナ５０３は、例えば、プリント回路上に電気通路（electrical track）の形で作られる。図２、図９、及び図１０に表されるように、アンテナ５０３は、さらに、ハウジング内に設けられた窪みの中に収納されたばねの形、又は、設けられた窪みの中に収納するために適した何らかの他の形をとることがある。締結手段５０５は、スイッチングアセンブリ５０を相補的な手段に締結するために用いられることもある。
【００３５】
本発明によれば、スイッチングアセンブリのプランジャ５０２は、アンテナ５０３のベースに近接して位置合わせされ、プランジャの移動は、アンテナ５０３の軸（Ｘ）と平行に生じる。このプランジャ５０２は、スイッチングアセンブリ５０内の軸方向に搭載された２個のばね５０６に搭載される。
【００３６】
本発明によれば、スイッチング装置の作動部材２００、３００、４００は例えば、作動部材の中空の軸上内部空間２０１、３０１、４０１に通じる開口面を有する（例えばほぼ円筒形状の）部品を備える。本発明によれば、スイッチングアセンブリ５０は、スイッチング装置内に配置されるので、アンテナ５０３を収納し、スイッチングアセンブリのハウジング５００に設けられた突起５０４は、作動部材２００、３００、４００の中空内部空間２０１、３０１、４０１の中に主軸（Ａ）に沿って挿入される。このようにして、スイッチング装置は、特に小型化される。この特有の配置は、押しボタン型又はリミットスイッチ型を問わずに本発明のすべてのスイッチング装置に共通である。
【００３７】
その上、押しボタン型のスイッチング装置は、例えば、電気エンクロージャのドアのような金属壁に形成された標準径をもつ円形開口を通じて締結されることが意図されている。作動部材２００とスイッチングアセンブリ５０とを備える制御アセンブリは、この壁のいずれかの側に締結されることが意図されている。作動部材２００に形成された内部空間２０１の内側のアンテナ５０３の配置は、アンテナ５０３が壁により形成された面を通過することを可能にする。この配置により、この装置は、壁の両側から、すなわち、壁が電気エンクロージャのドアである場合、エンクロージャの外側へ向かって、又は、内側へ向かって移ることができる。より具体的には、図１及び図２において、押しボタン型のスイッチング装置の制御アセンブリは、ほぼ円筒形状の本体２０２と、上記本体内に配置され、作動部材２００と機械的に連結され、作動部材を本体２０２内で並進駆動する制御ボタン２０３とを備える。押しボタン型のスイッチング装置はさらに、ベース２０４（図１だけに図示される）を備え、ベース２０４は、一方で制御アセンブリの本体２０２に締結されており、かつ、スイッチングアセンブリ５０がこのスイッチングアセンブリの締結手段５０５により収容できるようにする受容手段（reception means）を備えている。このベース２０４は、スイッチングアセンブリ５０と同じ側の壁に置かれ、スイッチングアセンブリ５０のアンテナ５０３が作動部材２００の内部空間２０１まで通過できるようにする中央開口を有する。制御アセンブリはさらに、一方で制御アセンブリの本体２０２の内部部品を支持し、他方で作動部材２００を支持することにより、作動部材の外側で、作動部材２００の円筒部品に同軸上に位置合わせされた螺旋型の戻りばね２０５を備える。このばね２０５は、装置の動作のため不可欠であるので、このばねの位置合わせは、作動部材２００の外側に限り可能であり、内部空間２０１は、アンテナ５０３により占められる。スイッチング装置はさらに、押しボタンが壁に締結されることを可能にする締結装置２０６を備える。このような締結装置は、公開された欧州特許第０８８９５６４号、又は、この欧州特許に対応する米国特許第６０５０５２８号に詳細に記載されている。他の締結解決手段が本発明のスイッチング装置のため考えられることは明らかである。スイッチングアセンブリがベースにより制御アセンブリに締結されるとき、作動部材２００は、スイッチングアセンブリの内部に向かってプランジャを並進駆動するように、スイッチングアセンブリ５０のプランジャ５０２と協働することが意図されている。
【００３８】
図３から図７において、リミットスイッチ型のスイッチング装置は、このスイッチング装置の２種類の実施形態では、例えば、スイッチングアセンブリ５０と作動部材３００、４００とを密閉封止するハウジング３０２、４０２を備える。リミットスイッチ型の装置は、エンクロージャ内に閉じ込められないので、エンクロージャは、外部攻撃（external attack）に対抗するため、良好な密閉度を有することが必要である。電源内蔵式スイッチングアセンブリ（self-powered switching assembly）の使用は、ケーブルが不要であるため、装置の密閉性が強化されることを意味する。電気エネルギー発電機の使用は、さらに、消耗したボタン電池又はバッテリの交換のような保守作業を防止すること、したがって、装置の密閉性を破る可能性があるハウジングの開口を防止することを可能にする。スイッチング装置は、作動部材３００、４００の円筒部品に同軸上に位置合わせされ、一方でスイッチングアセンブリ５０を支持し、他方で作動部材３００、４００を支持する螺旋型の戻りばね３０５、４０５をさらに備える。回動レバー式リミットスイッチでは、戻りばね３０５は、作動部材３００の円筒部品の内側に置かれる。軸方向動作式リミットスイッチでは、戻りばね４０５は、作動部材４００の円筒部品の外側に位置合わせされる。回動レバー式リミットスイッチでは、スイッチングアセンブリ５０のプランジャ５０２の作動は、例えば、作動部材の移動により生じ、軸方向動作式リミットスイッチでは、プランジャ５０２の作動は、ハウジング４０２の移動により生じる。
【００３９】
回動レバー式リミットスイッチでは、作動部材３００は、回動制御ヘッド３０３に回転中に取り付けられるカムにより並進作動される。軸方向動作式リミットスイッチでは、作動部材４００は固定され、スイッチングアセンブリ５０に並進中に取り付けられたハウジング４０２は、作動部材４００と相対的に並進移動可能である。後者の構成では、作動部材４００は、例えば、ハウジング４０２の内側に位置合わせされたフレームの形をなし、ハウジングの内側にスイッチングアセンブリ５０が位置合わせされる。ハウジング４０２は、作動部材４００に対してスイッチングアセンブリ５０を並進駆動する手段を備える。作動部材４００に設けられた軸上開口４０３は、装置が作動されているとき、スイッチングアセンブリ５０の突起５０４の通過を可能にさせる。この配置を用いると、ハウジング４０２は、例えば、人間工学的なハンドルの形をとることができる。
【００４０】
ワイヤレスモードにおけるリミットスイッチの構成は、配線を廃止することを可能にさせ、よって、例えば、簡単なワイヤ又はケーブルを用いて装置を吊り下げることにより、何種類もの構成で装置を配置することを可能にする。
【００４１】
このように、本発明のスイッチング装置は、装置の小型緊密性を損なうことなく、ワイヤレス、かつ、完全な自立型（stand alone）の解決策を提案することを可能にする。作動部材２００、３００、４００の内側にあるアンテナの配置と、戻りばね２０５、３０５、４０５の配置は、特に、無線伝送の観点で、性能レベルに影響を及ぼすことなく、この小型緊密性の目的を満たすことを可能にする。
【００４２】
言うまでもなく、本発明の範囲から外れることなく、詳細についての他の変形及び改良を考案することや、さらには均等な手段の使用を思い付くことは可能である。
【符号の説明】
【００４３】
１：発電機、１０：移動部品、１１：励磁コイル、
２０：押しボタン型スイッチング装置、
３０、４０：リミットスイッチ型スイッチング装置、
５０：スイッチングアセンブリ、
１００：永久磁石、１０１ａ：上層、１０１ｂ：下層、１０２：ばね、
１１０：電機子、１１１：巻線、
１２０：Ｕ字形ベース、１２１：第１のアーム、１２２：第２のアーム、
２００、３００、４００：作動部材、
２０１、３０１、４０１：軸上内部空間、２０２：本体、２０４：ベース、
２０５、３０５、４０５：戻りばね、２０６：締結装置、
３００、４００：作動部材、３０２、４０２：ハウジング、
３０３：回動制御ヘッド、３０５、４０５：戻りばね、４０３：開口、
５００：ハウジング、５０１：電子ユニット、５０２：プランジャ、
５０３：アンテナ、５０４：突起、５０５：締結手段
【図１】
0005882076.tif 000002
【図２】
0005882076.tif 000003
【図３】
0005882076.tif 000004
【図４】
0005882076.tif 000005
【図５】
0005882076.tif 000006
【図６】
0005882076.tif 000007
【図７】
0005882076.tif 000008
【図８】
0005882076.tif 000009
【図９】
0005882076.tif 000010
【図１０】
0005882076.tif 000011
【図１１】
0005882076.tif 000012
【図１２Ａ】
0005882076.tif 000013
【図１２Ｂ】
0005882076.tif 000014